(57)【要約】【課題】この発明は、痒みを感じた部分に対して適度な強さの刺激を与えることができ、痒い部分の肌を傷付けることなく、短い時間で、痒みを抑えることができるまごの手の提供を目的とする。【解決手段】痒みを感じた人体の部位に対し、まごの手１の掻き部３に形成された第１掻き領域３ａａの第１突起５と、第２掻き領域３ａｂの第２突起６と、第３掻き領域３ｂａの第３突起７とから選択した一つの掻き領域の突起を押し付けて痒み取り動作する。これにより、人体の痒い部分に対し、第１掻き領域３ａａの第１突起５と、第２掻き領域３ａｂの第２突起６と、第３掻き領域３ｂａの第３突起７とに対応して異なる強さの刺激が与えられ、痒い部分の血行及び代謝が次第に好くなり、痒みが和らげられるか、取り除かれることになる。【選択図】図１
2010104568.tif 000002
【特許請求の範囲】
【請求項１】
長手方向の一端に掻き部が備えられたまごの手であって、
前記掻き部に、複数の掻き領域が形成されるとともに、
該各掻き領域に、複数種類の性状及び/又は形状の突起が形成された
まごの手。
【請求項２】
前記掻き部における長手方向の軸心を中心とする少なくとも片側に、前記掻き領域が複数形成された
請求項１に記載のまごの手。
【請求項３】
前記複数の掻き領域は、前記掻き部における長手方向の軸心に対する角度がそれぞれ異なるものである
請求項１又は２に記載のまごの手。
【請求項４】
前記突起の性状及び/又は形状が、前記複数の掻き領域毎に異なるものである
請求項１〜３のいずれか一つに記載のまごの手。
【請求項５】
前記複数の掻き領域のうち少なくとも一つの掻き領域に、前記複数種類の性状及び/又は形状の突起が形成されたものである
請求項１〜４のいずれか一つに記載のまごの手。
【請求項６】
前記複数の掻き領域のうち少なくとも一つの掻き領域に形成される突起間の間隔が部位に応じて異なるものである
請求項１〜５のいずれか一つに記載のまごの手。
【発明の詳細な説明】
【技術分野】
【０００１】
この発明は、例えば背部、肩部、腰部、腕部、足部等の人体の部位に生じた痒みを抑える際に用いられるまごの手に関する。
【背景技術】
【０００２】
従来、前記まごの手としては、例えば掻き部の領域表面自体を平面に形成し、該領域内に形成された突起の突出長を領域の周縁部分から中央部分に位置するに従い長くするように設定して仮想面を曲面に形成する構成が特許文献１の掻き具に開示されている（段落００１４及び図面の図３参照）。
【０００３】
しかし、前記掻き具は、単一の面形状に形成された一つの領域内に複数の突起が形成されているので、例えば背部、肩部、腰部、腕部、足部等の人体の部位を掻く際に、領域の中央部分に位置する長い突起のみが押し付けられるか、領域の周縁部分に位置する短い突起が押し付けられてしまい、痒い部分に対して所望する長さの突起を押し付けることが困難である。また、神経線維の密度が人体の部位や年齢によって異なるので、接触に対する感覚にそれぞれ差がある。このため、その部位或いは痒み具合に応じた強さの刺激がなかなか得られず、痒みを抑えるのに時間が掛かるため、痒い部分の肌を傷付けてしまう。
【特許文献１】特開平１１−１０４１９６号公報
【発明の開示】
【発明が解決しようとする課題】
【０００４】
この発明は前記問題に鑑み、痒みを感じた部分に対して適度な強さの刺激を与えることができ、痒い部分の肌を傷付けることなく、痒みを抑えることができるまごの手の提供を目的とする。
【課題を解決するための手段】
【０００５】
この発明は、長手方向の一端に掻き部が備えられたまごの手であって、前記掻き部に、複数の掻き領域が形成されるとともに、該各掻き領域に、複数種類の性状及び/又は形状の突起が形成されたまごの手であることを特徴とする。
【０００６】
これにより、例えば背部、肩部、腰部、腕部、足部等の痒みを感じた人体の部位に対応して、複数の掻き領域の中から痒みを感じた部位を掻くのに適した掻き領域を選択することができる。また、選択した掻き領域の突起を、痒みを感じた部分に押し付けたまま、例えば上下、左右、斜め等の所望する方向へ移動させて痒み取り動作するので、突起の性状及び/又は形状に対応した強さの刺激が人体の部位に対し与えられる。
【０００７】
この発明の態様として、前記掻き部における長手方向の軸心を中心とする少なくとも片側に、前記掻き領域が複数形成することができる。  
これにより、掻き部の少なくとも片側に形成された複数の掻き領域の中から、痒みを感じた部分を掻くのに適した掻き領域を選択することができる。
【０００８】
この発明の態様として、前記複数の掻き領域は、前記掻き部における長手方向の軸心に対する角度がそれぞれ異なるものとすることができる。  
これにより、複数の掻き領域の中から、痒みを感じた部分を掻くのに適した角度の掻き領域を選択することができる。
【０００９】
また、この発明の態様として、前記突起の性状及び/又は形状が、前記複数の掻き領域毎に異なるものとすることができる。  
これにより、複数の掻き領域の中から、痒みを感じた部分を掻くのに適した性状及び/又は形状の突起を選択することができる。
【００１０】
また、この発明の態様として、前記複数の掻き領域のうち少なくとも一つの掻き領域に、前記複数種類の性状及び/又は形状の突起を形成することができる。  
これにより、突起の性状及び/又は形状に対応した複数種の刺激が、痒みを感じた部分に対し同時に与えられる。
【００１１】
また、この発明の態様として、前記複数の掻き領域のうち少なくとも一つの掻き領域に形成される突起間の間隔が部位に応じて異なるものである。  
これにより、部位ごとに異なった刺激が、痒みを感じた部分に対し与えられる。
【００１２】
前記まごの手の全体或いは掻き部、突起は、例えば合成樹脂、木、セラミックス、合成ゴム等の材質で構成することができる。  
また、掻き領域は、例えば斜面、曲面、平面等の単一面或いは複数面で構成することができる。
【００１３】
また、突起の性状とは、硬さ、軟性、接触抵抗等の突起の性質、状態をいう。例えば合成樹脂、合成ゴム等の柔軟性を有する弾性部材で、突起の全体或いは先端、外面は形成してもよい。  
また、形状とは、突起の形状や状態、例えば形が同じでも大きさが異なるもの、形状が異なるものをいう。なお、異なる形としては、例えば半球形状、円柱形状、半楕円形状、角柱形状、頭部球形状、三角形状等で構成することができる。  
つまり、突起の性状及び/又は形状を変えることにより、痒みを感じた部分に対して付与される刺激の強さを変化させることができる。
【発明の効果】
【００１４】
この発明によれば、痒みを感じた部分に対して適度な強さの刺激を与えることができ、痒い部分の血行及び代謝が次第に好くなるので、痒い部分の肌を傷付けることなく、短い時間で、痒みを抑えることができる。
【発明を実施するための最良の形態】
【００１５】
図１の（ａ）は、本発明の実施形態の一例であるまごの手１を構成する掻き部３の表側を示す正面図である。図１の（ｂ）は、掻き部３の裏側を示す背面図である。図２は、側面から見た掻き部３の形状を示すＡ−Ａ矢視断面図である。図３は、前端から見た掻き部３の形状を示すＢ−Ｂ矢視断面図である。
【００１６】
まごの手１は、痒い部分に対し適度な刺激を与えるのに適した硬さを有する合成樹脂で中実に形成されるとともに、バッグやカバン等に入れて持ち運ぶことができる長さに形成されている。
【００１７】
また、棒状を有する具本体２の長手方向の一端には、後述する複数の掻き領域３ａａ，３ａｂ，３ｂａが形成された杓文字型の掻き部３を設け、該具本体２の他端には、手で把持される把持部４を設けている。  
また、掻き領域３ａａ，３ａｂ，３ｂａには、大きさが異なる相似形の突起５，６，７がそれぞれ形成されている。
【００１８】
なお、まごの手１の全体或いは掻き部３、突起５，６，７を、例えば合成樹脂、木、セラミックス、合成ゴム等の適宜硬さを有する材質で形成してもよい。また、まごの手１の全体或いは掻き部３を、例えばブロー成形する等して中空に形成してもよい。
【００１９】
掻き部３は、該掻き部３における長手方向の軸心と平行する垂直な面で切断した中央縦断面より、該垂直な面と直交する水平な面で切断した中央横断面が大きい杓文字型に形成されている。
【００２０】
また、掻き部３における長手方向の軸心を中心とする片側には、掻き部３の前端に寄った位置に形成された肉厚が厚い盛上り部３Ｄを中心として、前端及び後端に向けて徐々に肉厚が薄くなるように形成された斜面形状の表側掻き領域３ａが形成されている。
【００２１】
また、表側掻き領域３ａの反対側には、中央から前端及び後端に向けて徐々に肉厚が薄くなるように形成された滑らかな曲面形状の裏側掻き領域３ｂが形成されている。  
なお、裏側掻き領域３ｂを、表側掻き領域３ａと同一の斜面形状に形成してもよい。
【００２２】
掻き部３における長手方向の軸心を中心とする片側の表側掻き領域３ａは、盛上り部３Ｄを中心として、該掻き部３の前側領域に形成された第１掻き領域３ａａと、後側領域に形成された第２掻き領域３ａｂとに分割されている。  
また、第１掻き領域３ａａと第２掻き領域３ａｂとは、掻き部３における長手方向の軸心に対して異なる角度にそれぞれ形成されている。
【００２３】
掻き部３の裏側掻き領域３ｂは、裏側の前端から後端に至る裏側掻き領域３ｂの全体が第３掻き領域３ｂａとして設定されている。
【００２４】
第１掻き領域３ａａの痒み取り面は、側面から見て前端から盛上り部３Ｄに向けて徐々に高くなる斜面形状に形成され、痒み取り面の中央から両側に向けて徐々に低くなる滑らかな曲面形状に形成されている。
【００２５】
第２掻き領域３ａｂの痒み取り面は、側面から見て盛上り部３Ｄから後端に向けて徐々に低くなる斜面形状に形成され、痒み取り面の中央から両側に向けて徐々に低くなる滑らかな曲面形状に形成されている。
【００２６】
第３掻き領域３ｂａの痒み取り面は、側面から見て前端から中央に向けて徐々に高くなり、中央から後端に向けて徐々に低くなる滑らかな曲面形状に形成されている。また、痒み取り面の中央から両側に向けて徐々に低くなる滑らかな曲面形状に形成されている。
【００２７】
第１掻き領域３ａａの痒み取り面には、後述する第１突起５及び第２突起６より大きな第１突起５が、該領域内の痒み取り面に沿って前端から後端に向けて等間隔に隔てて千鳥状に配列されている。また、第１突起５は、同径で高さｈ１に形成されている。
【００２８】
第２掻き領域３ａｂの痒み取り面には、前記第１突起５より小さく、後述する第３突起７より大きな第２突起６が、該領域内の痒み取り面に沿って前端から後端に向けて等間隔に隔てて千鳥状に配列されている。また、第２突起６は、同径で高さｈ２に形成されている。
【００２９】
第３掻き領域３ｂａの痒み取り面には、前記第１突起５及び第２突起６より小さな第３突起７が、該領域内の痒み取り面に沿って前端から後端に向けて等間隔に隔てて配列されている。また、第３突起７は、同径で高さｈ３に形成されている。
【００３０】
なお、第１突起５と、第２突起６と、第３突起７との外観形状は、側面から見て滑らかな半球形状に形成され、大中小の異なる半径に形成されている。  
また、掻き部３の第１掻き領域３ａａと、第２掻き領域３ａｂと、第３掻き領域３ｂａとを、斜面や平面、或いは、曲面及び斜面、平面を組み合わせた面に形成してもよい。
【００３１】
把持部４の後端には、例えばストラップ、鈴、キャラクター商品、名札等の図示しない装飾品を取り付けたり、図示しないフックにまごの手１を吊り掛けたりする際に利用される孔部４ａが設けられている。  
また、把持部４の中央外面には、例えば所有者の名前、イニシャル等の文字を記載するための名前表示部４ｂが形成されている。
【００３２】
図示実施例は前記の如く構成するものにして、以下、まごの手１による痒み取り方法を説明する。
【００３３】
先ず、まごの手１の把持部４を片方の手で把持した後、例えば背部、肩部、腰部、腕部、足部等の痒みを感じた人体の部位に対応して、図１〜図３に示す掻き部３の第１掻き領域３ａａに形成された第１突起５と、第２掻き領域３ａｂに形成された第２突起６と、第３掻き領域３ｂａに形成された第３突起７とから選択した一つの掻き領域の突起を、痒みを感じた人体の部位に押し付ける。
【００３４】
痒みが強い部分に刺激を与える際には、掻き部３の第１掻き領域３ａａに形成された第１突起５を押し付ける。  
痒みが中程度の部分に対し刺激を与える際には、掻き部３の第２掻き領域３ａｂに形成された第２突起６を押し付ける。  
痒みが弱い部分に対し刺激を与える際には、掻き部３の第３掻き領域３ｂａに形成された第３突起７を押し付ける。
【００３５】
人体の痒い部分に対し、掻き部３の第１掻き領域３ａａの第１突起５と、第２掻き領域３ａｂの第２突起６と、第３掻き領域３ｂａの第３突起７とのいずれか一つを押し付けたまま、例えば上下、左右、斜め等の単一方向又は複数方向へ移動させて痒み取り動作する。これにより、第１突起５と、第２突起６と、第３突起７とに対応して異なる強さの刺激が一定間隔で与えられる。
【００３６】
痒み取り動作時において、痒い部分の痒みが和らがない場合、痒い部分に押し付けられる突起を、第３掻き領域３ｂａの第３突起７と、第２掻き領域３ａｂの第２突起６と、第１掻き領域３ａａの第１突起５とに順に変更すれば、人体の痒い部分に与えられる刺激の度合いを段階的に強くすることができる。
【００３７】
また、痒い部分の痒みが和らぐのに伴って、痒い部分に押し付けられる突起を、第１掻き領域３ａａの第１突起５から、第２掻き領域３ａｂの第２突起６と、第３掻き領域３ｂａの第３突起７とに順に変更すれば、人体の痒い部分に与えられる刺激の度合いを段階的に弱くすることができる。
【００３８】
以上のように、痒みを感じた人体の部位に対応して、まごの手１の掻き部３に設定された第１掻き領域３ａａと、第２掻き領域３ａｂと、第３掻き領域３ｂａとの中から、痒みを感じた部位を掻くのに適した一つの掻き領域を選択することができる。また、第１掻き領域３ａａの第１突起５と、第２掻き領域３ａｂの第２突起６と、第３掻き領域３ｂａの第３突起７とから選択した領域の突起を、痒みを感じた人体の部位に対し的確且つ確実に押し付けることができる。
【００３９】
これにより、例えば老人や子供、身障者等のまごの手１を取り扱うのに難がある人でも、痒みを感じた人体の部位に対し、その痒さの程度に応じて適度な強さの刺激を与えることができる。また、痒い部分の血行及び代謝が次第に好くなるので、痒い部分の肌を傷付けることなく、短い時間で、痒みを抑えることができる。また、無理な姿勢を取らずに、掻き部３を痒い部分に押し付けるか、痒み取りする等の動作が楽な姿勢で行える。
【００４０】
また、第１掻き領域３ａａと、第２掻き領域３ａｂと、第３掻き領域３ｂａとの各痒い領域毎に、人体の部位に与えられる刺激の強さを変化させることができるので、人体の部位や年齢、神経線維の密度等に応じて、痒みを感じた部位に与えられる刺激の強さを変えることができ、痒みを抑えるのに必要とする適度な強さの刺激が得られる。
【００４１】
なお、まごの手１を、例えば人体の部位、老人、大人、子供、神経線維の密度等に応じて複数種製作しておけば、適度な刺激が得られるまごの手１を、部位や使用者に応じて使い分けることができる。また、第１掻き領域３ａａに小さな突起を配列し、第３掻き領域３ｂａに大きな突起を配列してもよく、実施例の配列パターンに限定されるものではない。
【００４２】
図４は、まごの手１の具本体２を折り畳み自在に設けた例を示す側面図である。  
具本体２は、掻き部３に連設された柄部２ａの端部と、把持部４に連設された柄部２ｂの端部とをヒンジ部２ｄで連結している。
【００４３】
つまり、掻き部３の柄部２ａと把持部４の柄部２ｂとが真っ直ぐに伸ばされた状態（図４の実線参照）と、二つ折り状態に折り畳まれた状態（図４の仮想線参照）とに折り畳み自在に設けている。
【００４４】
痒み取り時において、具本体２の柄部２ａに対し柄部２ｂを真っ直ぐに伸ばされた角度に回動して、柄部２ａと柄部２ｂとを、柄部２ａの連結側端部に設けられたストッパ２ｃによって真っ直ぐとなる角度に回動固定した後、まごの手１の掻き部３を痒い部分に押し付けて痒み取り動作する。
【００４５】
これにより、痒い部分に対し適度な刺激を与えることができ、前記実施例と略同等の痒み取り作用及び痒み取り効果を奏することができる。また、不要時において、まごの手１の具本体２を二つ折り状態に折り畳んでおけば、場所を取らず、携帯や保管等に便利となる。
【００４６】
図５は、まごの手１の具本体２を伸縮自在に設けた他の例を示す側面図である。  
具本体２は、掻き部３に連設された軸状の柄部２ａを、把持部４に連設された筒状の柄部２ｂに挿入して、長手方向に対し伸縮自在に設けている。
【００４７】
つまり、痒い部分が近い際には、具本体２を、掻き部３が痒い部分に到達するような短尺サイズに縮め調節（図５の実線参照）する。また、腕を伸ばしても痒い部分を掻くことが難しい際には、具本体２を、掻き部３が痒い部分に到達するような長尺サイズに伸ばし調節（図５の仮想線参照）する。
【００４８】
これにより、まごの手１の掻き部３を、痒い部分に対し適切且つ正確に押し付けることができ、前記実施例と略同等の痒み取り作用及び痒み取り効果を奏することができる。
【００４９】
図６の（ｃ）は、掻き部３の表側掻き領域３ａに第１突起５が配列されたまごの手１のその他の例を示す正面図である。図６の（ｄ）は、掻き部３の裏側掻き領域３ｂに第３突起７が配列されたまごの手１のその他の例を示す背面図である。図７は、側面から見て楕円形状に形成された掻き部３を示すＣ−Ｃ矢視断面図である。
【００５０】
掻き部３の外面は、側面から見て中央から前端及び後端に向けて徐々に肉厚が薄くなる滑らかな楕円形状に形成された表側掻き領域３ａと裏側掻き領域３ｂとで構成されている。
【００５１】
表側掻き領域３ａ及び裏側掻き領域３ｂの痒み取り面は、側面から見て前端から中央に向けて徐々に高くなり、中央から後端に向けて徐々に低くなる滑らかな曲面形状に形成され、中央から両側に向けて徐々に低くなる滑らかな曲面形状に形成されている。なお、表側掻き領域３ａの曲面形状は、裏側掻き領域３ｂの曲面形状より大きい曲率半径に形成されている。
【００５２】
表側掻き領域３ａの痒み取り面には、第１突起５が痒み取り面に沿って等間隔に隔てて千鳥状に配列されている。また、裏側掻き領域３ｂの痒み取り面には、第３突起７が痒み取り面に沿って等間隔に隔てて千鳥状に配列されている。
【００５３】
つまり、痒い部分に対し、掻き部３の表側掻き領域３ａに形成された第１突起５を押し付けて痒み取り動作すれば、痒い部分に与えられる刺激が強くなる。また、掻き部３の裏側掻き領域３ｂに形成された第３突起７を押し付けて痒み取り動作すれば、痒い部分に与えられる刺激が弱くなる。これにより、利用者の要望及び好みに応じて適度な強さの刺激が得られ、前記実施例と略同等の作用及び効果を奏することができる。
【００５４】
なお、第１突起５又は第３突起７の代わりに、第２突起６を、表側掻き領域３ａ又は裏側掻き領域３ｂの痒み取り面に配列してもよい。また、表側掻き領域３ａに小さな突起を配列し、裏側掻き領域３ｂに大きな突起を配列してもよく、実施例の配列パターンに限定されるものではない。
【００５５】
図８は、掻き部３の第１掻き領域３ａａ内に、大きさが異なる第１突起５の突起５ａ，５ｂを隣り合う位置に配列し、第２掻き領域３ａｂ内に、大きさが異なる第２突起６の突起６ａ，６ｂを隣り合う位置に配列したまごの手１のその他の例を示す拡大縦断側面図である。
【００５６】
第１掻き領域３ａａの第１突起５は、高さｈ１を有する大サイズの突起５ａと、高さｈ２を有する中サイズの突起５ｂとで構成されており、相似形の突起５ａ，５ｂは、痒み取り面に沿って等間隔に隔て千鳥状に配列されている。
【００５７】
第２掻き領域３ａｂの第２突起６は、高さｈ２を有する中サイズの突起６ａと、高さｈ３を有する小サイズの突起６ｂとで構成されており、相似形の突起６ａ，６ｂは、痒み取り面に沿って等間隔に隔て千鳥状に配列されている。
【００５８】
つまり、痒みを感じた人体の部位に対し、掻き部３に形成された第１掻き領域３ａａの第１突起５と、第２掻き領域３ａｂの第２突起６と、第３掻き領域３ｂａの第３突起７とから選択した一つの突起を押し付けて痒み取り動作する。
【００５９】
人体の部位に対し、第１掻き領域３ａａの第１突起５又は第２掻き領域３ａｂの第２突起６を押し付けた際に、第１突起５の突起５ａ，５ｂによって異なる強さの刺激が同時に与えられる。また、第２突起６の突起６ａ，６ｂによって異なる強さの刺激が同時に与えられる。
【００６０】
これにより、前記実施例のように第１突起５と、第２突起６と、第３突起７とを交互に押し付けた場合と、略同等の作用及び効果を奏することができるとともに、短い時間で痒みを抑えることができる。また、第３掻き領域３ｂａの第３突起７を、大小或いは大中小の異なる大きさに形成してもよい。  
なお、３種類の突起５，６，７或いは後述する突起５ａ〜５ｆから選択した複数の突起を一つの領域内に配列してもよい。
【００６１】
図９は、第１突起５の突起５ａ，５ｂを同一の径ｗ１で、異なる大きさ(高さｈ１，ｈ２)に形成したまごの手１のその他の例を示す縦断側面図である。  
つまり、痒みを感じた部分に対し、第１突起５の突起５ａ，５ｂの大きさに対応して異なる強さの刺激が与えられるので、前記実施例と略同等の作用及び効果を奏することができる。
【００６２】
図１０は、第１突起５の突起５ａ，５ｂを同一の大きさ(高さｈ１)で、異なる径ｗ１，ｗ２に形成したまごの手１のその他の例を示す縦断側面図である。  
つまり、痒い部分に対し、第１突起５の突起５ａ，５ｂの径ｗ１，ｗ２に対応して異なる強さの刺激が与えられるので、前記実施例と略同等の作用及び効果を奏することができる。
【００６３】
図１１は、第１突起５の突起５ａ，５ａ間に、互いに異なる外観形状に形成された突起５ｃ，５ｄ，５ｅ，５ｆを４種類配列したまごの手１のその他の例を示す縦断側面図である。  
隣り合う突起５ｃ〜５ｆは、互いに異なる外観形状に形成されている。突起５ｃは、側面から見て円柱形状に形成され、突起５ｄは、側面から見て半楕円形状に形成され、突起５ｅは、側面から見て頭部球形状に形成され、突起５ｆは、側面から見て三角形状に形成されている。
【００６４】
つまり、痒い部分に対し、第１突起５の突起５ａ，５ｃ，５ｄ，５ｅ，５ｆの外観形状に対応して異なる強さの刺激が与えられるので、前記実施例と略同等の作用及び効果を奏することができる。
【００６５】
また、突起５ａ，５ｃ，５ｄ，５ｅ，５ｆから選択した突起を複数組み合わせて配列してもよい。また、表側掻き領域３ａと、裏側掻き領域３ｂと、第１掻き領域３ａａと、第２掻き領域３ａｂと、第３掻き領域３ｂａとの各掻き領域毎に、異なる形状に形成した突起５ａ〜５ｆを配列してもよい。
【００６６】
なお、図９〜図１１に示す実施例では、第１突起５の突起５ａ〜５ｆを同一の大きさ(高さｈ１)に形成しているが、異なる大きさ(高さｈ１〜ｈ３)に形成してもよい。また、第１突起５より小さい第２突起６及び第３突起７を、同一又は異なる大きさに形成するか、同一又は異なる径に形成してもよい。
【００６７】
図１２は、掻き部３の表側掻き領域３ａに形成される第１突起５間の間隔を、領域の部位に応じて異ならせたまごの手１のその他の例を示す正面図である。  
つまり、第１突起５間の間隔を、表側掻き領域３ａの長手方向に対して前端から後端に向けて徐々に間隔が広くなるように配列している。これにより、領域の部位ごとに異なった強さの刺激が、痒みを感じた人体の部位に対し断続的に与えられるので、前記実施例と略同等の作用及び効果を奏することができる。  
なお、第１突起５を、表側掻き領域３ａの短手方向に対し徐々に間隔が広くなるように配列するか、間隔が狭くなるように配列してもよい。また、第２突起６及び第３突起７を、人体の部位に応じて異なる間隔に隔てて配列してもよい。
【００６８】
図１３は、掻き部３の内部に、柔軟性を有するクッション材８を充填したまごの手１のその他の例を示す縦断側面図である。  
掻き部３は、該掻き部３が固定される具本体２の一端側外面に、例えばウレタンゴム、スポンジゴム等の柔軟性を有するクッション材８を装着し、そのクッション材８の外面に、突起５，６，７が形成された柔軟性を有する合成ゴム製の被覆部材９を被覆して構成している。
【００６９】
つまり、まごの手１の掻き部３を痒い部分に押し付けて痒み取り動作した際に、クッション材８の復元力によって、被覆部材９に形成された突起５，６，７が痒い部分に対し押し付けられる。これにより、痒い部分に対し強く押し付け過ぎることがなく、痒い部分に対して適度な強さの刺激が与えられるので、前記実施例と略同等の作用及び効果を奏することができる。
【００７０】
図１４は、掻き部３を差し替え自在に設けたまごの手１のその他の例を示す正面図である。  
掻き部３の後端に形成された軸部１０を、具本体２の前端に形成された孔部１１に差し込み、図示しないビス等でネジ止めするか、互いに螺合するか、圧入する等して固定することにより、差し替え自在に設けられている。
【００７１】
つまり、複数の掻き部３…に形成された突起５，６，７の大きさ、径、形状等をそれぞれ異ならせておくことにより、各掻き部３…から選択した一つの掻き部に差し替えるだけで、異なる強さの刺激が得られる。また、具本体２を兼用するので、まごの手１を複数備え持つ必要がない。
【００７２】
なお、本発明は、前記実施例の構成のみに限定されるものではなく、請求項に示される技術思想に基づいて応用することができ、多くの実施の形態を得ることができる。
【００７３】
実施例では、まごの手１の第１突起５、第２突起６、第３突起７を千鳥状（互い違いを含む）に配列しているが、例えば桝目状に配列するか、ランダムに配列する等してもよい。  
また、掻き部３を、例えば円形、楕円形、長方形、正方形、菱形、星型等の杓文字型以外の形状に形成してもよい。
【図面の簡単な説明】
【００７４】
【図１】本発明のまごの手を示す正面図及び背面図。
【図２】図１の掻き部の形状を示すＡ−Ａ矢視断面図。
【図３】図１の掻き部の形状を示すＢ−Ｂ矢視断面図。
【図４】まごの手の具本体を折り畳み自在に設けた例を示す側面図。
【図５】まごの手の具本体を伸縮自在に設けた他の例を示す平面図。
【図６】まごの手のその他の例を示す正面図及び背面図。
【図７】図７の掻き部の形状を示すＣ−Ｃ矢視断面図。
【図８】大きさが異なる突起を配列したその他の例を示す縦断側面図。
【図９】同径で大きさが異なる突起を配列したその他の例を示す縦断側面図。
【図１０】大きさが同一で異なる径の突起を配列したその他の例を示す縦断側面図。
【図１１】異なる形状の突起を配列したその他の例を示す縦断側面図。
【図１２】突起を広く間隔に隔てて配列したその他の例を示す正面図。
【図１３】掻き部にクッション材を充填したその他の例を示す縦断側面図。
【図１４】掻き部を差し替え自在に設けたその他の例を示す正面図。
【符号の説明】
【００７５】
１…まごの手
２…具本体
２ａ，２ｂ…柄部
２ｃ…ストッパ
２ｄ…ヒンジ部
３…掻き部
３ａ…表側掻き領域
３ａａ…第１掻き領域
３ａｂ…第２掻き領域
３ｂ…裏側掻き領域
３ｂａ…第３掻き領域
４…把持部
５…第１突起
５ａ〜５ｆ…突起
６…第２突起
６ａ，６ｂ…突起
７…第３突起
８…クッション材
９…被覆部材
１０…軸部
１１…孔部
【図１】
2010104568.tif 000003
【図２】
2010104568.tif 000004
【図３】
2010104568.tif 000005
【図４】
2010104568.tif 000006
【図５】
2010104568.tif 000007
【図６】
2010104568.tif 000008
【図７】
2010104568.tif 000009
【図８】
2010104568.tif 000010
【図９】
2010104568.tif 000011
【図１０】
2010104568.tif 000012
【図１１】
2010104568.tif 000013
【図１２】
2010104568.tif 000014
【図１３】
2010104568.tif 000015
【図１４】
2010104568.tif 000016